(57)【要約】【課題】光ファイバケーブルを押し潰すことなく所定の場所に容易に配置させる光ファイバ用固定具を提供する。【解決手段】光ファイバケーブル配線用固定具２は、ベース筐体４と押さえ蓋５とから構成される。ベース筐体４は樋状に形成され、押さえ蓋５は板状に形成されている。ベース筐体４の側壁４ａ間には開口が形成され、この開口を塞ぐように押さえ蓋５が組み付けられる。ベース筐体４の内側には光ファイバケーブル７を受けるためのクッション部材１２が備えられている。押さえ蓋５には光ファイバケーブル７を受けるためのクッション部材２７が設けられている。光ファイバケーブル７は２本の光ファイバを有し、これらは被覆部材８によって覆われている。被覆部材８には溝８ａが軸方向に沿って延設されている。ベース筐体４及び押さえ蓋５には溝８ａに係合する突起１１、２５が一体形成されている。【選択図】        図２
2006215435.tif 000002
【特許請求の範囲】
【請求項１】
光ファイバケーブルを保持して被取付面に固定するための光ファイバケーブル配線用固定具において、
前記被取付面に固定される第１部材と、
この第１部材に嵌着され、前記第１部材との間で光ファイバケーブルを保持するための保持開口を形成する第２部材と、
前記保持開口と前記光ファイバケーブルとの間で前記第１部材または前記第２部材に設けられ、前記光ファイバケーブルの前記保持開口内での移動を規制するクッション部材とを有することを特徴とする光ファイバケーブル配線用固定具。
【請求項２】
前記光ファイバケーブルは、被覆部材により複数の光ファイバが平行に保持され、前記被覆部材には、複数の光ファイバの間で光ファイバに平行な溝が形成されており、前記保持開口には、前記溝に入り前記光ファイバケーブルを位置決めする位置決めガイドを有することを特徴とする請求項１記載の光ファイバケーブル配線用固定具。
【請求項３】
前記第１部材は、前記被取付面への固定用の接着層と、この接着層を覆い接着時に剥がされる離型紙とを備えることを特徴とする請求項１または２記載の光ファイバケーブル配線用固定具。
【発明の詳細な説明】
【技術分野】
【０００１】
本発明は光ファイバケーブル配線用固定具に関し、さらに詳しくは、光ファイバーケーブルに取り付けられるとともに光ファイバケーブルを所定の場所に固定する光ファイバケーブル配線用固定具に関するものである。
【背景技術】
【０００２】
現在、大容量の情報を伝送するための伝送媒体として光ファイバが普及しており、これによって情報の伝達がさらに高速化している。光ファイバは伝達速度が劣化しにくいなどのメリットが多く、このため屋内や構内などの短距離通信から都市間を結ぶ長距離通信まで広く用いられる。特に、屋内や構内で光ファイバを利用する場合には、光ファイバ素線の外側をビニルなどの被覆部材で被覆した光ファイバケーブルが用いられる。
【０００３】
光ファイバは光を伝送するコア部とコア部の外周を覆うクラッド部から構成され、その構成材料の種類によって石英系光ファイバとプラスチック光ファイバ（以下、ＰＯＦと言う）とに大別される。光ファイバを利用して電子機器同士を接続する場合には、光ファイバ素線が被覆部材で覆われた光ファイバケーブルが用いられることが多く、これにより光ファイバ素線が切れてしまうことなどが防止されている。さらに、このような光ファイバケーブルの中には軸方向への引っ張り強度をより増強させるために、抗張力線を光ファイバとともに被覆部材で覆ったものもある。
【特許文献１】特開２００４―２００１３５号公報
【発明の開示】
【発明が解決しようとする課題】
【０００４】
ところで、例えば、電子機器間で情報のやり取りを行うため機器同士をケーブルで接続させる際、ケーブルは邪魔にならないように室内等で自在に配置できることが好ましく、このためケーブルを室内や車内などで自在に配置させる様々な方法が提案されている。特許文献１には、データ伝送用の芯線が粘着性を有する被覆部材によって被覆されたデータ伝送用のケーブルが示されており、これによって室内等でケーブルを自在に配置してケーブルの切断事故などを防止している。
【０００５】
しかしながら、光ファイバの中でも特にＰＯＦは素材が全てプラスチックで構成されるため、可撓性、重量、加工性、製造コストなどの面でガラス系光ファイバより優れる。反面、ＰＯＦは柔らかいために潰れやすく、この潰れによって情報の伝達損失が増大するために伝送効率が低下し、また伝送帯域が劣化するなど、通信特性に悪影響を及ぼし、利便性が低下してしまう。このためＰＯＦケーブルの取扱いは特に慎重を要し、その配置作業に時間がかかってしまう場合があった。
【０００６】
本発明は上記の事情に鑑みてなされたものであり、その目的は、光ファイバケーブルを押し潰すことなく所定の場所に容易に配置させることができる光ファイバケーブル配線用固定具を提供することにある。
【課題を解決するための手段】
【０００７】
上記の目的を達成するために、本発明の光ファイバケーブル配線用固定具では、光ファイバケーブルを保持して被取付面に固定するための光ファイバケーブル配線用固定具であり、被取付面に固定される第１部材と、この第１部材に嵌着され、前記第１部材との間で光ファイバケーブルを保持するための保持開口を形成する第２部材と、保持開口と前記光ファイバケーブルとの間で前記第１部材または前記第２部材に設けられ、光ファイバケーブルの保持開口内での移動を規制するクッション部材とを有することを特徴とする。
【０００８】
また、光ファイバケーブルは、被覆部材により複数の光ファイバが平行に保持され、被覆部材には、複数の光ファイバの間で光ファイバに平行な溝が形成されており、保持開口には、溝に入り前記光ファイバケーブルを位置決めする位置決めガイドを有することを特徴とする。
【０００９】
また、第１部材は、被取付面への固定用の接着層と、この接着層を覆い接着時に剥がされる離型紙とを備えることを特徴とする。
【発明の効果】
【００１０】
本発明の光ファイバケーブル配線用固定具によれば、被取付面に固定される第１部材と、この第１部材に嵌着され、前記第１部材との間で光ファイバケーブルを保持するための保持開口を形成する第２部材と、保持開口と前記光ファイバケーブルとの間で前記第１部材または前記第２部材に設けられ、光ファイバケーブルの保持開口内での移動を規制するクッション部材とを有することにより、光ファイバケーブルはクッション部材を介して第１部材と第２部材とによって挟持されるために潰れることはない。
【００１１】
また、光ファイバケーブルは、被覆部材により複数の光ファイバが平行に保持され、被覆部材には、複数の光ファイバの間で光ファイバに平行な溝が形成されており、保持開口には、溝に入り前記光ファイバケーブルを位置決めする位置決めガイドを有することにより、光ファイバケーブルがずれてしまうことを防止することができ、光ファイバケーブルをしっかりと固定することができる。
【００１２】
また、第１部材は、被取付面への固定用の接着層と、この接着層を覆い接着時に剥がされる離型紙とを備えることにより、光ファイバケーブルを挟持する第２部材が組み合わせられた第１部材を接着層によって所定の場所に固定させることができ、光ファイバケーブルを所定の場所に容易に配置させることができる。また、接着層は通常は離型紙によって覆われているため、取り扱いの容易な光ファイバケーブル配線用固定具を提供することができる。
【発明を実施するための最良の形態】
【００１３】
図１に本発明の光ファイバケーブル配線用固定具の外観斜視図を示す。光ファイバケーブル配線用固定具２は外形が略直方体形状に形成され、長手方向に位置する２つの側面２ａにはプラスチック光ファイバケーブル（以降、ＰＯＦケーブルと言う）を保持するための保持開口３が形成されている。光ファイバケーブル配線用固定具２は、第１部材であるベース筐体４と第２部材である押さえ蓋５とから構成され、保持開口３はこれらベース筐体４と押さえ蓋５とによって形成される。
【００１４】
図２に示すように、光ファイバケーブル配線用固定具２はベース筐体４と押さえ蓋５とからなり、ベース筐体４は角形の樋状に形成され、押さえ蓋５は板状に形成されている。ＰＯＦケーブル７は、互いに平行な２本のＰＯＦ９が被覆部材８によって被覆され、被覆部材８には２本のＰＯＦ９の中間で内側に陥没した溝８ａがＰＯＦ９と平行に形成されている。
【００１５】
ベース筐体４には底壁４ｂの両端に長手方向で一定の間隔を隔てて向かい合うように２つの側壁４ａが形成されている。底壁４ｂには、被覆部材８に形成された溝８ａに係合してＰＯＦケーブル７を位置決めする突起（位置決めガイド）１１が突設されており、突起１１の両サイドにはＰＯＦケーブル７を受けるための第１クッション部材１２が設けられている。側壁４ａの外側には押さえ蓋５を組み付けるための係合部１４が形成されており、これによって簡便に押さえ蓋５が組み合わせられる。
【００１６】
押さえ蓋５は、ベース筐体４の側壁４ａ間に形成された開口を塞ぐように板状に形成されている。押さえ蓋５の２つの長辺側の側縁には係合部１４に係合する係合突起２０が形成されており、係合突起２０の先端には爪２０ａが形成されている。押さえ蓋５には、一方の短辺から他方の短辺に向かって被覆部材８に形成された溝８ａに係合する突起（位置決めガイド）２５が設けられている。突起２５の両サイドにはＰＯＦケーブル７を受けるための第２クッション部材２７が設けられている。
【００１７】
図３に示すように、ベース筐体４の底壁４ｂの外側には接着層３０が設けられ、この接着層３０には離型紙３３が重ねられている。光ファイバケーブル配線用固定具２を所定の場所、例えば屋内の壁や、車内のフロントパネルなどに固定したい場合には、離型紙３３を剥がして接着層３０を露呈させる。この後に、接着層３０を介して光ファイバケーブル配線用固定具２を所定の場所に接着させる。
【００１８】
図４にＰＯＦケーブル７を挟持した光ファイバケーブル配線用固定具２を軸方向から観察した正面図を示す。ベース筐体４と押さえ蓋５とによって形成される保持開口３はＰＯＦケーブル７との間に遊びを有し、第１クッション部材１２及び第２クッション部材２７がＰＯＦケーブル７を押さえる。第１、第２クッション部材１２、２７は、例えばＰＯＦケーブル７よりも柔らかいスポンジ状の発泡体やゲルやエラストマーを初めとする弾性体
などの材料で構成され、ベース筐体４に押さえ蓋５を組み合わせると、第１、第２クッション部材１２、２７がＰＯＦケーブル７の形状に合わせて変形するため、ベース筐体４及び押さえ蓋５はＰＯＦケーブル７を押し潰すことなく挟持する。第１、第２クッション部材１２、２７はＰＯＦケーブル７と密着するので、ケーブル素材との摩擦が起こりやすい素材や表面形状を選択することによって長手方向の移動を抑制することができる。
【００１９】
図５の断面図に示すように、ベース筐体４に形成された係合部１４には爪２０ａが掛かるノッチ１４ａが形成されており、これによって、一旦爪２０ａがノッチ１４ａに掛かると押さえ蓋５がベース筐体４から容易に外れないようになっている。突起１１、２５は被覆部材８に形成された溝８ａに係合して、ＰＯＦケーブル７がケーブルの軸と垂直な方向に動かないように位置決めする。溝８ａに係合する突起１１、２５はそれぞれベース筐体４、押さえ蓋５にそれぞれ一体形成され、ＰＯＦケーブル７をしっかりと固定する。このとき突起１１、２５の側面を粗面化などしておけば、ケーブルの長手方向の移動をより抑制することができ、さらに、突起１１、２５の中央を貫通するガイド孔を設け、そこにピンや釘を貫通させることでケーブルを固定する機構を付与することもできる。
【００２０】
上記構成の作用について説明する。室内などにＰＯＦケーブル７を配置させる際、ＰＯＦケーブル７に対して、例えば１ｍごとに光ファイバケーブル配線用固定具２を取り付ける。光ファイバケーブル配線用固定具２の固定場所を決定し、離型紙３３を剥がして接着層３０を露呈させ、所定の場所に光ファイバケーブル配線用固定具２を固定する。このように本発明の光ファイバケーブル配線用固定具２を用いることにより、ＰＯＦケーブル２を押しつぶすことなく容易に室内などに配置させることができる。なお、室内などの広い空間に限らず車内などの比較的狭い空間にＰＯＦケーブル７を配置させる場合でも光ファイバケーブル配線用固定具２を利用することができ、この場合には光ファイバケーブル配線用固定具２を、例えば４０ｃｍ間隔でＰＯＦケーブル７に取り付けて所定の場所に接着させることにより、車内でもしっかりとＰＯＦケーブル７を配置させることができる。
【００２１】
なお、上記の実施形態では係合突起２０の爪２０ａを係合部１４のノッチ１４ａに掛けることによってベース筐体４に押さえ蓋５を組み合わせたが、ベース筐体に押さえ蓋を組み付ける方法はこれに限らない。例えば、ベース筐体にネジが螺嵌されるネジ穴を設け、押さえ蓋をネジによってベース筐体に組み付けるようにしても構わない。ネジを用いて押さえ蓋をベース筐体に組み付けることでＰＯＦケーブルの押さえ付け具合を調整することができ、これによってＰＯＦを潰してしまうことを確実に防止することができる。
【００２２】
また、上記の実施形態ではベース筐体４の底壁４ｂに接着層３０を設けたが、接着層を設ける部位はこれに限らない。例えば、図６に示すように、ベース筐体４の内側に係合部４２を設け、この係合部４２にノッチ４２ａを形成する。押さえ蓋５には係合部４２と係合する係合突起４０を設け、その先端にノッチ４２ａに掛かる爪４２ａを形成する。このような構造にすることで、ベース筐体４の側壁４ａ及び底壁４ｂに接着層４５を形成することができる。接着層４５をベース筐体４の側壁４ａ及び底壁４ｂに設けたことにより、例えば天井と壁との境目などに光ファイバケーブル配線用固定具２を固定する場合には接着面積を増やすことができ、これによって光ファイバケーブル配線用固定具２をより強固に固定することができる。また、複数の光ファイバケーブル配線用固定具２を同一平面上に固定できないような複雑な形状をした場所にＰＯＦケーブル７を配設する場合でも、それぞれのベース筐体４の側壁４ａ及び底壁４ｂに接着層が設けられていることによって光ファイバケーブル配線用固定具２を自在に固定することができ、これによってＰＯＦケーブルを捩じることなく固定できる。
【００２３】
また、上記の実施形態ではベース筐体４を接着層３０によって壁などの被取付面に取り付けたが、本発明はこれに限らず、例えば、ネジや磁石などによってベース筐体を被取付面に取り付けても構わない。ネジや磁石等によってベース筐体を被取付面に取り付けることで被取付面からの脱落を防ぐことができ、ＰＯＦケーブルを確実に被取付面に配置させることができる。また、接着層を再剥離性のものを用いることでレイアウト変更が容易になる着脱可能な固定具とすることもできる。
【００２４】
また、上記の実施形態ではベース筐体４と押さえ蓋５とに第１、第２クッション部材１２、２７を設けたが、本発明はこれに限らず、クッション部材をベース筐体と押さえ蓋とのうちどちらか一方に設けるようにしても構わない。これによっても光ファイバケーブル配線用固定具はＰＯＦケーブルが潰れないように保持することができる。
【００２５】
また上記の実施形態では２本のＰＯＦ９が被覆部材８によって覆われたＰＯＦケーブル７を例示し、被覆部材８に光ファイバ９と平行に設けられた溝８ａに係合する突起１１、２５をベース部材４と押さえ蓋５とに一体形成したが、光ファイバケーブル配線用固定具に保持されるＰＯＦケーブルはこれに限らない。例えば、１本のＰＯＦが被覆部材によって覆われたＰＯＦケーブルを押さえるように光ファイバケーブル配線用固定具を構成しても構わない。
【００２６】
また、上記の実施形態では２本の光ファイバ９が被覆部材８によって覆われたＰＯＦケーブル７を例示したが、本発明はこれに限らず例えば、３本、４本などの光ファイバが被覆部材によって覆われた光ファイバケーブルを光ファイバケーブル配線用固定具によって固定するようにしても構わない。その場合、突起１１および２５は必要に応じた数を設けることができる。
【００２７】
また、上記の実施形態では、第１部材が樋状に形成されたベース部材であり、第２部材が板状に形成された押さえ蓋５であったが、第１、第２部材の形状はこれに限らない。例えば第１、第２部材をそれぞれ樋状に形成しても構わない。
【図面の簡単な説明】
【００２８】
【図１】樋状に形成されたベース筐体と板状に形成された押さえ蓋とから構成される本発明の光ファイバケーブル配線用固定具の外観斜視図である。
【図２】押さえ蓋をベース筐体から分離した光ファイバケーブル配線用固定具の分解斜視図である。
【図３】光ファイバケーブルを挟持した光ファイバケーブル配線用固定具の外観斜視図である。
【図４】光ファイバケーブルを挟持した光ファイバケーブル配線用固定具を軸方向から観察した正面図である。
【図５】光ファイバケーブルを挟持した光ファイバケーブル配線用固定具を光ファイバケーブルに垂直な平面で切断した断面図である。
【図６】ベース筐体の側壁及び底壁に接着層を設けた光ファイバケーブル配線用固定具を光ファイバケーブルに垂直な平面で切断した断面図である。
【符号の説明】
【００２９】
２  光ファイバケーブル配線用固定具
４  ベース筐体（第１部材）
４ａ  側壁
４ｂ  底部
５  押さえ蓋（第２部材）
７  ＰＯＦケーブル
８  被覆部材
８ａ  溝
１１  突起（位置決めガイド）
１２  第１クッション部材
１４  係合部
１４ａ  ノッチ
２０  係合突起
２０ａ  爪
２５  突起（位置決めガイド）
２７  第２クッション部材
【図１】
2006215435.tif 000003
【図２】
2006215435.tif 000004
【図３】
2006215435.tif 000005
【図４】
2006215435.tif 000006
【図５】
2006215435.tif 000007
【図６】
2006215435.tif 000008